(57)【要約】【課題】ステータ部に対してロータ部を回転自在とする流体動圧軸受部を備えた情報記録再生装置において、ディスク部の振動を防止すると共に、情報記録媒体層に情報を書き込む際や、情報記録媒体層から情報を読み出す際に不具合が発生することを防止することができるようにする。【解決手段】ロータ部５が、厚さ方向の一端面４７ａに情報記録媒体層４９を形成した薄板状のディスク部４７を備え、流体動圧軸受部７が、前記ディスク部４７に一体的に固定される軸体１１と、隙間を介して前記軸体１１を挿入する軸体挿入穴１３ａを有する軸体支持部１３と、前記隙間に充填される流体１５とを備え、前記一端面４７ａの背面側となる前記ディスク部４７の他端面４７ｂ、および前記軸体１１の軸方向の一端部に、相互に嵌合する嵌合孔５５または嵌合突起５７のいずれかが設けられている情報記録再生装置１を提供する。【選択図】      図１
2004364380.tif 000002
【特許請求の範囲】
【請求項１】
ステータ部と、ロータ部と、前記ステータ部に対して前記ロータ部を回転自在に支持する流体動圧軸受部と、前記ロータ部を回転させる駆動手段とを備え、
前記ロータ部が、厚さ方向の一端面に情報記録媒体層を形成した薄板状のディスク部を備え、
前記流体動圧軸受部が、前記ディスク部に一体的に固定される軸体と、隙間を介して前記軸体を挿入する軸体挿入穴を有する軸体支持部と、前記隙間に充填される流体とを備え、
前記一端面の背面側となる前記ディスク部の他端面、および前記軸体の軸方向の一端部に、相互に嵌合する嵌合孔または嵌合突起のいずれかが設けられていることを特徴とする情報記録再生装置。
【請求項２】
前記嵌合孔が、前記ディスク部の他端面に形成された凹部であることを特徴とする請求項１に記載の情報記録再生装置。
【請求項３】
前記ロータ部が、前記ディスク部の一端面から環状に突出するバックヨークを備え、
前記駆動手段が、前記ステータ部に設けられたコアおよびコイルと、前記バックヨークに固定され、前記コアおよびコイルに対向して円環状に複数の磁極を配列した永久磁石とを備え、
前記バックヨークと前記ディスク部とが、一つの部材から形成されていることを特徴とする請求項１または請求項２に記載の情報記録再生装置。
【発明の詳細な説明】
【０００１】
【発明の属する技術分野】
本発明は、ステータ部に対してロータ部を回転自在とする流体動圧軸受部を備えた情報記録再生装置に関する。
【０００２】
【従来の技術】
近年では、据え置き型のパーソナルコンピュータや携行可能なノートパソコン等の端末装置に搭載されるハードディスク装置（以下、ＨＤＤと呼ぶ。）を携帯電話機やデジタルカメラ等の携行可能な小型の情報家電にも搭載できるように、情報記録再生装置用モータに対する小型化、薄型化の要求が高まっている。
そこで、主面に情報記録媒体層を形成した円板状のディスク部と、スリーブ（軸体支持部）により回転自在に支持される回転軸部（軸体）とを一つの部材により一体的に形成して回転ディスクを構成し、薄型化を図ったＨＤＤが提案されている（例えば、特許文献１参照。）。情報記録媒体層は、スパッタリングによりディスク部の主面に形成されるようになっている。
回転ディスクは、流体動圧軸受部により回転自在に支持されている。流体動圧軸受部は、前述の回転ディスクを構成する回転軸部をスリーブの凹部に隙間を介して挿入し、この隙間に動圧潤滑剤を充填して構成されている。隙間を介して相互に対向するスリーブの表面や回転ディスクの表面には、動圧発生溝が形成されている。この回転ディスクをスリーブに対して回転させた際には、動圧発生溝の形成位置に動圧潤滑剤が集められて動圧が発生し、この動圧により回転ディスクがスリーブに対して回転自在に支持される。
【０００３】
【特許文献１】
特開２００３−３０９２１号公報（第４頁、第１−２図）
【０００４】
【発明が解決しようとする課題】
しかしながら、上記の情報記録再生装置においては、ディスク部と回転軸部とが一つの部材により一体的に形成されているため、ディスク部を回転させる際に回転ディスクが振動したり、情報記録媒体層に情報を書き込む際、もしくは、情報記録媒体層から情報を読み出す際に不具合が発生したりするという問題があった。
すなわち、例えば、情報記録媒体層を形成した後に、回転軸部の外形を切削等により形成したり、回転軸部に動圧発生溝を形成したりする場合には、この回転軸部の加工において情報記録媒体層が傷つく虞があった。
また、回転軸部の切削加工および動圧発生溝の形成加工の後に、スパッタリングにより情報記録媒体層を形成する場合には、スパッタリングにより回転軸部が変形したり、動圧発生溝が傷つけられたりして、流体動圧軸受部の軸受特性が劣化する虞があった。
【０００５】
また、この回転軸部の損傷を防止するために、スパッタリングを行う前に回転軸部にマスキングを施すことも考えられるが、エッチングによりマスクを除去する際に動圧発生溝が傷つく虞があった。
また、ディスク部と回転軸部とをそれぞれ別の部材から形成し、その後に互いに接着、或いは、熱融着して回転ディスクを構成したＨＤＤも提案されているが、回転軸部に対するディスク部の位置決めが困難であったため、ディスク部を回転させる際に回転ディスクが振動する虞があった。
【０００６】
この発明は、回転ディスクの振動を防止すると共に、情報記録媒体層に情報を書き込む際や、情報記録媒体層から情報を読み出す際に不具合が発生することを防止することができる情報記録再生装置を提供することを目的としている。
【０００７】
【課題を解決するための手段】
上記課題を解決するために、この発明は以下の手段を提案している。
本発明の情報記録再生装置は、ステータ部と、ロータ部と、前記ステータ部に対して前記ロータ部を回転自在に支持する流体動圧軸受部と、前記ロータ部を回転させる駆動手段とを備え、前記ロータ部が、厚さ方向の一端面に情報記録媒体層を形成した薄板状のディスク部を備え、前記流体動圧軸受部が、前記ディスク部に一体的に固定される軸体と、隙間を介して前記軸体を挿入する軸体挿入穴を有する軸体支持部と、前記隙間に充填される流体とを備え、前記一端面の背面側となる前記ディスク部の他端面、および前記軸体の軸方向の一端部に、相互に嵌合する嵌合孔または嵌合突起のいずれかが設けられていることを特徴とする。
【０００８】
この発明に係る情報記録再生装置を製造する際には、予め軸体を切削加工により形成し、また、ディスク部の一端面に情報記録媒体層をスパッタリングにより形成しておく。そして、この後に嵌合孔と嵌合突起を相互に嵌合させて、ディスク部と軸体とを一体的に固定する。
このため、情報記録媒体層を形成する際には、スパッタリングによる軸体の変形や軸体表面の損傷を防ぐことができると共に、軸体にマスキングを施すことなく、ディスク部の他端面にも容易に情報記録媒体層を形成することができる。したがって、駆動手段によりロータ部を回転させる際に、流体動圧軸受部における軸受特性の劣化を防止できる。また、軸体を形成する際には、切削加工や動圧発生溝の形成加工によって情報記録媒体層が傷つくことを防止できる。
また、ディスク部と軸体とは、嵌合孔と嵌合突起とを相互に嵌合させることにより相互に固定されるため、軸体に対するディスク部の位置決めを容易に行うことができる。
【０００９】
また、情報記録再生装置において、前記嵌合孔が、前記ディスク部の他端面に形成された凹部であることを特徴とする。
この発明に係る情報記録再生装置によれば、嵌合孔がディスク部の他端面から一端面まで貫通しないため、ディスク部の一端面全体に情報記録媒体層を形成して、情報記録媒体層の形成面積を増加させることができる。
【００１０】
また、本発明に係る情報記録再生装置は、前記ロータ部が、前記ディスク部の一端面から環状に突出するバックヨークを備え、前記駆動手段が、前記ステータ部に設けられたコアおよびコイルと、前記バックヨークに固定され、前記コアおよびコイルに対向して円環状に複数の磁極を配列した永久磁石とを備え、前記バックヨークと前記ディスク部とが、一つの部材から形成されていることを特徴とする。
この発明に係る情報記録再生装置によれば、ロータ部を回転させる永久磁石が、情報記録媒体層を備えたディスク部に直接固定されることになり、情報記録再生装置を構成する部品点数を減らすことができる。
【００１１】
【発明の実施の形態】
図１および図２はこの発明に係る一実施形態を示す図である。図１に示すように、この実施の形態に係るＨＤＤ（情報記録再生装置）１は、ＨＤＤ１の筐体を構成するベース部材２と、ベース部材２に固定されるステータコイル（ステータ部）３と、ステータコイル３に対して中心軸線Ａ１を中心として回転するロータ部５と、ロータ部５を回転自在に支持する流体動圧軸受部７と、ベース部材２に取り付けられるヘッドスタックアッセンブリー（ＨＳＡ）９とを備えている。
【００１２】
流体動圧軸受部７は、軸体１１と、この軸体１１を挿入する軸体挿入穴１３ａを有し、有底略円筒状に形成されたスリーブ（軸体支持部）１３と、軸体１１と軸体挿入穴１３ａとの隙間に充填されたオイル等の液体（流体）１５とを備えている。
軸体１１は、図２に示すように、その中心軸線Ａ１方向の中央部に鍔状に形成されたスラスト軸部１７と、スラスト軸部１７の表面１７ａおよび裏面１７ｂから中心軸線Ａ１方向の両側に突出する略円柱状の支持部１９およびラジアル軸部２１とを備えている。これらスラスト軸部１７、支持部１９およびラジアル軸部２１は一体的に形成されている。
【００１３】
ラジアル軸部２１の外周面２１ａには、ヘリンボーンと呼ばれる形状の動圧発生溝２３が複数形成されており、スラスト軸部１７の表面１７ａおよび裏面１７ｂには、スパイラル形状の動圧発生溝（図示せず）が複数形成されている。
これら動圧発生溝は、軸体１１を中心軸線Ａ１回りに回転させた際に、液体１５を集めて動圧を発生させ、スリーブ１３により軸体１１を回転可能に支持するものである。
【００１４】
スリーブ１３は、有底略円筒状のスリーブ本体２７と、軸体１１の支持部１９を突出させた状態で、軸体１１との間に隙間を空けてスリーブ本体２７の開放端を塞ぐアッパープレート２９とから構成されている。スリーブ本体２７は、ベース部材２に固定されており、小径円筒部３１および大径円筒部３３から構成されている。
小径円筒部３１は、軸体挿入穴１３ａのうち閉塞端側を形成する穴３５を有しており、この穴３５にはラジアル軸部２１を挿入できるようになっている。また、大径円筒部３３は、軸体挿入穴１３ａの開放端側を形成する貫通孔３７を有しており、この貫通孔３７にはスラスト軸部１７を挿入できるようになっている。これら小径円筒部３１および大径円筒部３３は、一体的に形成されている。
【００１５】
アッパープレート２９は、略円盤状に形成されており、その中心軸線Ａ１方向に支持部１９を挿入するための貫通孔３９が形成されている。この貫通孔３９は、小径円筒部３１の穴３５および大径円筒部３３の貫通孔３７と共に軸体挿入穴１３ａを構成している。また、このアッパープレート２９と支持部１９との間にはキャピラリーシールが施されており、このキャピラリーシールにより軸体１１と軸体挿入穴１３ａとの隙間から液体１５が漏出しないようになっている。
【００１６】
図１に示すように、ステータコイル３は、ベース部材２に形成された有底円筒状の凹部４１の内周面に固定された複数のコア４３と、各コア４３に巻き付けられたコイル４５とを備えている。コイル４５は、図示しない電源と電気的に接続されており、これらコア４３およびコイル４５により交番磁界を形成できるようになっている。
ロータ部５は、厚さ方向の一端面４７ａに情報記録媒体層４９を形成した円板状のディスク部４７と、一端面４７ａの背面側となるディスク部４７の他端面４７ｂに設けられた円筒状のバックヨーク５１とを備えている。
【００１７】
ディスク部４７は、硝子、アルミニウム、樹脂材料等の非磁性材料から形成されている。このディスク部４７には、その他端面４７ｂから突出し、中心軸線Ａ１を中心として周方向にわたって円環状に形成された段部５３が設けられている。なお、この段部５３の内径寸法は、バックヨーク５１の外径寸法と等しくなっている。
情報記録媒体層４９は、金属磁性材料をスパッタリングによりディスク部４７の一端面４７ａに形成したものであり、各種情報を磁気により記憶する、所謂磁気ディスクを構成するものである。
【００１８】
このディスク部４７は、軸体１１と一体的に固定されている。
すなわち、ディスク部４７の中央部には、中心軸線Ａ１を中心とした内周面を有する貫通孔（嵌合孔）５５が形成されている。そして、軸体１１を構成する支持部１９の先端面１１ａは、中心軸線Ａ１に略直交して形成されており、この支持部１９には、その先端面１１ａから中心軸線Ａ１方向に突出する略円柱状の突起（嵌合突起）５７が形成されている。この突起５７を貫通孔５５に嵌め込むことにより、軸体１１とディスク部４７とが相互に固定されることになる。
なお、突起５７を貫通孔５５に挿入した際には、支持部１９の先端面１１ａがディスク部４７の他端面４７ｂに当接するため、軸体１１に対するディスク部４７の位置決めを容易に且つ精度良く行うことができる。
【００１９】
バックヨーク５１は、鉄等の磁性材料から形成されており、接着剤等によりディスク部４７の他端面４７ｂに固定されている。また、バックヨーク５１の軸方向基端部側に位置する外周面５１ａを段部の内周面５３ａに当接させることにより、ディスク部４７に対する位置決めを容易に行うことができる。
【００２０】
このバックヨーク５１の先端部側の外周面５１ｂには、環状に形成された永久磁石５９が接着剤等により固定されている。
永久磁石５９は、環状に複数の磁極を配列し、これら各磁極の磁束方向が永久磁石５９の径方向と一致する所謂ラジアル異方性のネオジウム磁石となっている。この永久磁石５９は、バックヨーク５１に固定された状態において、その外周面５９ｂとコア４３との間に一定の隙間を有するように位置している。したがって、コア４３およびコイル４５において交番磁界を発生させた際には、この交番磁界が永久磁石５９に作用してロータ部５が中心軸線Ａ１回りに回転することになる。なお、バックヨーク５１は、永久磁石５９の内周面に出入りする磁束方向を拘束することにより、安定した磁気回路を形成し、ロータ部５を安定して回転させるようになっている。
これらコア４３、コイル４５および永久磁石５９によりステータコイル３に対してロータ部５を回転させる駆動手段６０が構成されている。
【００２１】
ＨＳＡ９は、磁気ヘッド６１、およびこの磁気ヘッド６１を所定の位置に位置決めする揺動手段６３とを備えている。磁気ヘッド６１の表面には、金属磁性膜が形成されており、記録媒体層４９に情報を記録すると共に記録媒体層４９に記録された情報を再生できるようになっている。
揺動手段６３は、ベース部材３に固定されており、スイングアーム６５を備えている。このスイングアーム６５は、中心軸線Ａ２を中心に揺動するようになっており、その先端部６５ａが、ディスク部４７の一端面４７ａに沿って、貫通孔５５の周縁部と外周側の周縁部との間で移動可能となっている。なお、前述の磁気ヘッド６１は、記録媒体層４９に対向して位置するように、スイングアーム６５の先端部６５ａに固定されている。
【００２２】
以上のように構成されたＨＤＤ１を製造する際には、予めスラスト軸部１７やラジアル軸部２１等を備えた軸体１１を切削加工により形成し、また、これらスラスト軸部１７およびラジアル軸部２１に動圧発生溝を形成しておく。また、予めスパッタリングによりディスク部４７の一端面４７ａに情報記録媒体層４９を形成しておく。そして、この後に突起５７を貫通孔５５に嵌め込んで、軸体１１とディスク部４７とを一体的に固定する。
以上のことから、情報記録媒体層４９を形成する際には、スパッタリングによる動圧発生溝の損傷や軸体１１の変形を防ぐことができると共に、軸体１１を形成する際に、情報記録媒体層４９が傷つくことも防止できる。また、軸体１１とディスク部４７は、嵌により相互に固定されるため、軸体１１に対するディスク部４７の位置決めを容易に行うことができる。
【００２３】
この構成のＨＤＤ１において、駆動手段６０によりディスク部４７を回転させた場合には、スリーブ１３に対して軸体１１が回転するため、図２に示すように、ラジアル軸部２１に形成された動圧発生溝２３により、小径円筒部３１の内周面とラジアル軸部１５の外周面との隙間Ｒ１に液体１５が集められて動圧が発生する。すなわち、ラジアル軸部２１の動圧発生溝２３において発生する液体１５の動圧が軸体１１の径方向の軸受の役割を果たすことになる。
また、この際には、スラスト軸部１７の表面１７ａと、この表面１７ａに対向するアッパープレート２９の表面との隙間Ｒ２、および、スラスト軸部１７の裏面１７ｂと、この裏面１７ｂに対向する小径円筒部３３の軸方向の端面との隙間Ｒ３に、液体１５が集められて動圧が発生する。すなわち、スラスト軸部１７の動圧発生溝において発生する液体１５の動圧が軸体１１の軸方向の軸受の役割を果たすことになる。
なお、この際には、前述したように、ＨＤＤ１の製造工程において、動圧発生溝の損傷や軸体１１の変形を防ぐことができるため、流体動圧軸受部７における軸受特性の劣化を防止することができる。
【００２４】
上記のように、このＨＤＤ１によれば、軸体１１の変形や動圧発生溝の損傷を防ぐことができると共に、嵌合により軸体１１に対するディスク部４７の位置決めを容易に行うことができるため、ロータ部５を回転させる際に、流体動圧軸受部７における軸受特性の劣化を防いで、ディスク部４７の振動を防止することができる。また、ディスク部４７の振動を防止できるため、ディスク部４７の駆動に要する消費電流の増大も抑制できる。
また、情報記録媒体層４７が傷つくことも防止できるため、情報記録媒体層４７に情報を書き込む際、もしくは、情報記録媒体層４７から情報を読み出す際の不具合を防止することができる。
【００２５】
なお、上記の実施形態においては、ディスク部４７の他端面４７ｂに、ディスク部４７に対するバックヨーク５１の位置決め用の段部５３を形成するとしたが、これに限ることはなく、少なくともディスク部４７に対してバックヨーク５１の位置決めを容易に行うことができれば良い。したがって、ディスク部４７の他端面４７ｂに、例えば、バックヨーク５１の基端部を挿入する環状の凹部を形成するとしてもよい。
また、情報記録媒体層４９をディスク部４７の一端面４７ａにのみ形成するとしたが、これに限ることはなく、例えば、図３に示すように、ディスク部４７の他端面４７ｂに情報記録媒体層４８を形成しても構わない。ただし、情報記録媒体層４８の形成領域は、ディスク部４７の外周縁から、段部５３やバックヨーク５１の外周面までとなる。この情報記録媒体層４８を形成することより、ＨＤＤ１における記憶容量を容易に増加させることができる。
【００２６】
なお、上記の構成の場合には、情報記録媒体層４８が、軸体１１を固定するディスク部４７の他端面４７ｂに形成されることになるが、前述と同様に、スパッタリングによりディスク部４７に情報記録媒体層４８，４９を形成すると共に、軸体１１を切削加工等により形成した後に、軸体１１とディスク部４７とを相互に固定すれば、情報記録媒体層４８が傷つくことはない。
【００２７】
また、ディスク部４７およびバックヨーク５１は、それぞれ別の部材から形成されるとしたが、同じ材料から形成する場合には、この構成に限ることはなく、図４に示すように、一体的に形成されるとしてもよい。この構成の場合には、ディスク部４７およびバックヨーク５１は、磁性材料もしくは非磁性材料のいずれかから形成されることになる。したがって、ロータ部５を回転させる永久磁石５９が、ディスク部４７に直接固定されることになり、ＨＤＤ１を構成する部品点数が減るため、ＨＤＤ１の製造コスト削減を図ることができる。
【００２８】
また、軸体１１は、スラスト軸部１７の表面１７ａおよび裏面１７ｂから中心軸線Ａ１方向に突出する支持部１９およびラジアル軸部２１を形成して構成されるとしたが、これに限ることはなく、例えば、図５（ａ）に示すように、スラスト軸部１６の表面１６ａからディスク部４７に向けてラジアル軸部２０を突出させて構成するとしても構わない。
この構成の場合には、ラジアル軸部２０の外周面に動圧発生溝２２を形成すると共に、ラジアル軸部２０の先端部にディスク部４７の貫通孔５５に嵌合する突起５７を形成しておく。また、この場合には、有底円筒状のスリーブの代わりに、中心軸線Ａ１方向に貫通する軸体挿入孔１２ａを備えた円筒状のスリーブ１２を使用し、スラスト軸部１６の裏面１６ｂに対向して軸体挿入孔１２ａの一端部を閉塞するカウンタープレート２８を設ければよい。
【００２９】
なお、上記の構成の場合には、ディスク部４７の他端面４７ｂに対向するスリーブ１２の表面１２ｂに動圧発生溝（図示せず）を形成すると共に、これらディスク部４７の他端面４７ｂとスリーブ１２の表面１２ｂとの隙間にオイル等の液体１５を充填するとしてもよい。この構成ではスラスト軸部１６の裏面１６ｂに動圧発生溝を形成する必要はない。
また、軸体１１をスラスト軸部１６およびラジアル軸部２０のみから構成する場合においても、図５（ｂ）に示すように、ディスク部４７とバックヨーク５１とを一つの部材から一体的に形成しても構わない。
【００３０】
また、軸体１１は、スラスト軸部１６，１７を備えるとしたが、これに限ることはなく、例えば、図６（ａ）に示すように、円柱状のラジアル軸部２４のみから構成されていればよい。
この構成の場合には、ラジアル軸部２４を挿入できる軸体挿入孔１４ａを有する有底円筒状のスリーブ１４を使用し、前述の構成と同様に、ディスク部４７の他端面４７ｂに対向するスリーブ１４の表面１４ｂに動圧発生溝（図示せず）を形成すると共に、これらディスク部４７の他端面４７ｂとスリーブ１４の表面１４ｂとの隙間にオイル等の液体１５を充填しておく。これらスリーブ１４の表面１４ｂの動圧発生溝において発生する液体１５の動圧が、軸体１１の軸線方向の軸受の役割を果たすことになる。
ただし、スリーブ１４の表面１４ｂにおいて発生する動圧は、軸体１１がスリーブ１４から抜け出る方向に作用する。そこで、永久磁石５９に対向するベース部材２の表面２ａに磁性体７１を設けて、永久磁石５９の磁力により軸体１１をスリーブ１４の軸体挿入孔１４ａに挿入させるようにしておけばよい。
また、軸体１１をスラスト軸部１６およびラジアル軸部２０のみから構成する場合においても、図６（ｂ）に示すように、ディスク部４７とバックヨーク５１とを一つの部材から一体的に形成しても構わない。
【００３１】
軸体１１とディスク部４７とは、軸体１１の突起５７をディスク部４７に形成された貫通孔５７に嵌め込むことにより、互いに固定されるとしたが、これに限ることはなく、少なくとも軸体１１とディスク部４７とを嵌め合わせにより相互に固定できればよい。
すなわち、例えば、図７（ａ）に示すように、ディスク部４７の貫通孔５５の周縁部に他端面４７ｂから突出する円環状のボス７３を形成するとしてもよい。ここで、ボス７３の内周面は貫通孔５５の内径寸法と等しく形成されている。この構成においては、ボス７３を形成することにより嵌合孔５５の軸方向長さをディスク部４７の軸方向の厚さ寸法よりも長く形成されるため、突起５７との嵌合面積を増加して軸体１１とディスク部４７との結合力向上、および軸体１１に対するディスク部４７の直角精度の向上を容易に図ることができる。
また、ディスク部４７の他端面４７ｂ側に当接させる先端面１１ａを軸体１１に形成しなくてもよい。すなわち、例えば、図７（ｂ）に示すように、突起部５７を軸体１１の直径寸法と等しくなるように形成してもよい。
【００３２】
さらに、ディスク部４７に貫通孔５５を形成する代わりに、例えば、図７（ｃ）に示すように、ディスク部４７の他端面４７ｂに軸体１１の突起（嵌合突起）５８を嵌合させる凹部（嵌合孔）５６を形成するとしてもよい。この構成の場合には、突起５８を嵌合させる部分がディスク部４７の一端面４７ａに露出しないため、ディスク部４７の一端面４７ａに形成される情報記録媒体層４９の形成面積を増加させて、ＨＤＤ１における記憶容量をさらに増やすことができる。
また、軸体１１に突起を設け、ディスク部４７に突起を嵌合させる貫通孔や凹部を形成する代わりに、例えば、図７（ｄ）に示すように、ディスク部４７に他端面４７ｂから突出する突起７５を設け、軸体１１の軸方向端面１１ａに突起（嵌合突起）７５を嵌合させる凹部（嵌合孔）７７を形成するとしてもよい。この構成の場合にも、前述と同様に、ＨＤＤ１における記憶容量を増やすことができる。
【００３３】
また、情報記録媒体層４８，４９は、金属磁性材料から形成されるとしたが、これに限ることはなく、少なくとも情報が記憶可能なものから形成されていればよい。したがって、情報記録媒体層４８，４９は、光ディスクを構成するものであっても良い。
この構成の場合には、スイングアーム６５の先端部６５ａには、磁気ヘッド６１の代わりに、光ディスクに情報を記録すると共に光ディスクに記録された情報を再生する光ピックアップが設ければよい。
また、流体動圧軸受部７は、軸体１１とスリーブ１３との隙間に液体１５を充填するとしたが、これに限ることはなく、少なくとも流体によりスリーブ１３に対してディスク部４７および軸体１１を回転自在とする構成であればよい。したがって、液体１５の代わりに空気等の気体を使用するとしてもよい。
【００３４】
以上、本発明の実施形態について図面を参照して詳述したが、具体的な構成はこの実施形態に限られるものではなく、本発明の要旨を逸脱しない範囲の設計変更等も含まれる。
【００３５】
【発明の効果】
以上説明したように、本発明によれば、軸体の変形や軸体表面の損傷を防ぐことができると共に、軸体に対するディスク部の位置決めを容易に行うことができるため、ロータ部を回転させる際に、流体動圧軸受部における軸受特性の劣化を防いで、ディスク部の振動を防止することができる。
また、情報記録媒体層が傷つくことも防止できるため、情報記録媒体層に情報を書き込む際、もしくは、情報記録媒体層から情報を読み出す際の不具合を防止することができる。
さらに、軸体を固定するディスク部の他端面にもスパッタリングにより情報記録媒体層を形成することができるため、情報記録媒体層における記憶容量の増加を容易に図ることができる。
【００３６】
また、軸体とディスク部とを相互に固定するための嵌合孔を、ディスク部の他端面に形成された凹部とした場合には、情報記録媒体層の形成面積を増加できるため、情報記録再生装置における記憶容量をさらに増やすことが可能となる。
さらに、バックヨークと前記ディスク部とを一つの部材から形成した場合には、情報記録再生装置を構成する部品点数を減らすことができるため、情報記録再生装置の製造コストの削減を図ることができる。
【図面の簡単な説明】
【図１】この発明の一実施形態に係るＨＤＤを示す断面図である。
【図２】図１のＨＤＤにおいて、流体動圧軸受部を示す拡大断面図である。
【図３】この発明の他の実施形態に係るＨＤＤの要部を示す拡大断面図である。
【図４】この発明の他の実施形態に係るＨＤＤの要部を示す拡大断面図である。
【図５】この発明の他の実施形態に係るＨＤＤの要部を示しており、（ａ）は、ディスク部とバックヨークとをそれぞれ別の部材により形成した場合を示す拡大断面図であり、（ｂ）は、ディスク部およびバックヨークを一つの部材により形成した場合を示す拡大断面図であり、
【図６】この発明の他の実施形態に係るＨＤＤの要部を示しており、（ａ）は、ディスク部とバックヨークとをそれぞれ別の部材により形成した場合を示す拡大断面図であり、（ｂ）は、ディスク部およびバックヨークを一つの部材により形成した場合を示す拡大断面図であり、
【図７】この発明の他の実施形態に係るＨＤＤの要部を示す拡大断面図である。
【符号の説明】
１  ＨＤＤ（情報記録再生装置）
３  ステータコイル（ステータ部）
５  ロータ部
７  流体動圧軸受部
１１  軸体
１２，１３，１４  スリーブ（軸体支持部）
１２ａ，１３ａ，１４ａ  軸体挿入孔
１５  液体（流体）
４３  コア
４５  コイル
４７  ディスク部
４７ａ  一端面
４７ｂ  他端面
４８，４９  情報記録媒体層
５１  バックヨーク
５５  貫通孔（嵌合孔）
５６，７７  凹部（嵌合孔）
５７，５８，７５  突起（嵌合突起）
５９  永久磁石
６０  駆動手段
Ａ１  中心軸線
Ｒ１〜Ｒ３  隙間
【図１】
2004364380.tif 000003
【図２】
2004364380.tif 000004
【図３】
2004364380.tif 000005
【図４】
2004364380.tif 000006
【図５】
2004364380.tif 000007
【図６】
2004364380.tif 000008
【図７】
2004364380.tif 000009